【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
点光源からの光を光束制御部材を介して出射するようになっている面光源装置において、
前記光束制御部材は前記点光源に対応する凹みを備え、
前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、
（Ａ）θ５／θ１＞１の関係を満足するとともに、
（Ｂ）θ１の増加にしたがってθ５が大きくなるように形成され、且つ、
（Ｃ）θ１の増加に伴い、θ１の増加量に対するθ５の増加量が小さくなるような形状に形成されている、
ことを特徴とする面光源装置。
【請求項２】
複数の点光源からの光を光束制御部材を介して出射するようになっている面光源装置において、
前記光束制御部材は前記点光源に対応する凹みを前記点光源と同数備え、
前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、
（Ａ）θ５／θ１＞１の関係を満足するとともに、
（Ｂ）θ１の増加にしたがってθ５が大きくなるように形成され、且つ、
（Ｃ）θ１の増加に伴い、θ１の増加量に対するθ５の増加量が小さくなるような形状に形成されている、
ことを特徴とする面光源装置。
【請求項３】
前記凹みは、第１の入光面と第２の入光面とを有し、これら第１の入光面と第２の入光面との接続部分が変曲点となっていることを特徴とする請求項１又は２に記載の面光源装置。
【請求項４】
前記請求項１乃至３のいずれかに記載の面光源装置と、この面光源装置からの光を光拡散部材を介して照射する被照明部材と、を備えたことを特徴とする照明ユニット。
【請求項５】
点光源に対応するように凹みを形成してなる光束制御部材において、
前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、
（Ａ）θ５／θ１＞１の関係を満足するとともに、
（Ｂ）θ１の増加にしたがってθ５が大きくなるように形成され、且つ、
（Ｃ）θ１の増加に伴い、θ１の増加量に対するθ５の増加量が小さくなるような形状に形成されている、
ことを特徴とする光束制御部材。
【請求項６】
複数の点光源のそれぞれに対応するように凹みを前記点光源と同数形成してなる光束制御部材において、
前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、
（Ａ）θ５／θ１＞１の関係を満足するとともに、
（Ｂ）θ１の増加にしたがってθ５が大きくなるように形成され、且つ、
（Ｃ）θ１の増加に伴い、θ１の増加量に対するθ５の増加量が小さくなるような形状に形成されている、
ことを特徴とする光束制御部材。
【請求項７】
前記凹みは、第１の入光面と第２の入光面とを有し、これら第１の入光面と第２の入光面との接続部分が変曲点となっていることを特徴とする請求項５乃至６のいずれかに記載の光束制御部材。
【手続補正２】
【補正対象書類名】明細書
【補正対象項目名】００１２
【補正方法】変更
【補正の内容】
【００１２】
請求項１の発明は、点光源からの光を光束制御部材を介して出射するようになっている面光源装置に関するものである。この面光源装置において、前記光束制御部材は前記点光源に対応する凹みを備えている。そして、前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、（Ａ）θ５／θ１＞１の関係を満足するとともに、（Ｂ）θ１の増加にしたがってθ５が大きくなるように形成され、且つ、（Ｃ）θ１の増加に伴い、θ１の増加量に対するθ５の増加量が小さくなるような形状に形成されている。
【手続補正３】
【補正対象書類名】明細書
【補正対象項目名】００１３
【補正方法】変更
【補正の内容】
【００１３】
請求項２の発明は、複数の点光源からの光を光束制御部材を介して出射するようになっている面光源装置に関するものである。この面光源装置において、前記光束制御部材は前記点光源に対応する凹みを前記点光源と同数備えている。そして、前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、（Ａ）θ５／θ１＞１の関係を満足するとともに、（Ｂ）θ１の増加にしたがってθ５が大きくなるように形成され、且つ、（Ｃ）θ１の増加に伴い、θ１の増加量に対するθ５の増加量が小さくなるような形状に形成されている。
【手続補正４】
【補正対象書類名】明細書
【補正対象項目名】００１６
【補正方法】変更
【補正の内容】
【００１６】
請求項５の発明は、点光源に対応するように凹みを形成してなる光束制御部材に関するものである。この光束制御部材において、前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、（Ａ）θ５／θ１＞１の関係を満足するとともに、（Ｂ）θ１の増加にしたがってθ５が大きくなるように形成され、且つ、（Ｃ）θ１の増加に伴い、θ１の増加量に対するθ５の増加量が小さくなるような形状に形成されている。
【手続補正５】
【補正対象書類名】明細書
【補正対象項目名】００１７
【補正方法】変更
【補正の内容】
【００１７】
請求項６の発明は、複数の点光源のそれぞれに対応するように凹みを前記点光源と同数形成してなる光束制御部材に関するものである。この光束制御部材において、前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、（Ａ）θ５／θ１＞１の関係を満足するとともに、（Ｂ）θ１の増加にしたがってθ５が大きくなるように形成され、且つ、（Ｃ）θ１の増加に伴い、θ１の増加量に対するθ５の増加量が小さくなるような形状に形成されている。